(57)【要約】【課題】容易に点灯制御方式を切り替えることができる照明器具を提供する。【解決手段】実施形態によれば、照明器具は、本体と点灯機器と光源とを備えている。配線手段は、信号端子台と電源ユニットとの間、信号端子台と個別制御ユニットとの間、および個別制御ユニットと電源ユニットとの間を接続する複数のコネクタを有する。配線手段は、信号端子台が個別制御ユニットを介さずに電源ユニットと接続された第１の接続状態と、信号端子台が個別制御ユニットを介して電源ユニットと接続された第２の接続状態とがコネクタの抜き差しにより切り替え可能に構成されている。光源は、本体に取り付けられた状態で投光開口からコネクタの接続部を覆い隠し、本体から光源が取り外されると投光開口からコネクタの接続部が露見される。【選択図】図１
2014086166.tif 000002
【特許請求の範囲】
【請求項１】
背板部と、投光開口と、前記背板部と前記投光開口との間に設けられた光源収容スペースと、を有する本体と、
前記背板部に保持された点灯機器と、
前記光源収容スペース内で前記本体に対して着脱自在に取り付けられた光源であって、実装基板と、前記実装基板上に実装された発光素子と、を有する光源と、
を備え、
前記点灯機器は、
自身が搭載された照明器具を他の照明器具と識別するための識別情報を有し、前記光源を他の照明器具の光源とは独立して点灯制御可能な個別制御ユニットと、
前記光源を直接または前記個別制御ユニットを介して点灯制御するための制御信号が入力される信号端子台と、
電源電力の入力を受ける電力入力端子と、前記光源に点灯電力を出力する電力出力端子と、前記信号端子台から直接信号の入力を受ける、あるいは前記個別制御ユニットから出力され、前記信号端子台から直接入力される信号と同種の信号の入力を受ける信号入力端子と、を有する電源ユニットと、
前記信号端子台と前記電源ユニットとの間、前記信号端子台と前記個別制御ユニットとの間、および前記個別制御ユニットと前記電源ユニットとの間を接続する複数のコネクタを有し、前記信号端子台が前記個別制御ユニットを介さずに前記電源ユニットと接続された第１の接続状態と、前記信号端子台が前記個別制御ユニットを介して前記電源ユニットと接続された第２の接続状態とが前記コネクタの抜き差しにより切り替え可能に構成された配線手段と、
を有し、
前記光源は、前記本体に取り付けられた状態で、前記投光開口から前記コネクタの接続部を覆い隠し、前記本体から前記光源が取り外されると、前記投光開口から前記コネクタの接続部が露見される照明器具。
【請求項２】
前記複数のコネクタは、
前記信号端子台の出力端子に接続された出力コネクタと、
前記電源ユニットの前記信号入力端子に接続された信号入力コネクタと、
前記個別制御ユニットの出力端子に接続された出力コネクタと、
を含み、
前記信号端子台に接続された前記出力コネクタと、前記電源ユニットに接続された前記信号入力コネクタとは、一方がオスコネクタ、他方がメスコネクタであり、
前記信号端子台に接続された前記出力コネクタと、前記個別制御ユニットに接続された前記出力コネクタとは、両方共がオスコネクタまたはメスコネクタである請求項１記載の照明器具。
【発明の詳細な説明】
【技術分野】
【０００１】
本発明の実施形態は、照明器具に関する。
【背景技術】
【０００２】
照明器具の点灯制御方式として、照明器具の外部でつくられた例えばＰＷＭ（Pulse Width Modulation）信号などの制御信号によって直接照明器具の点灯制御が行われる方式がある。また、個々の照明器具自身がＰＷＭ信号を発生する制御ユニットを搭載し、その制御ユニットでつくられたＰＷＭ信号によって個々の照明器具が他の照明器具とは独立して点灯制御される制御方式がある。
【０００３】
上記２つの制御方式を使用者の要求により切り替える場合、照明器具に対する制御ユニットの取り付けまたは取り外し、あるいは器具ごと新規に交換する必要があった。
【先行技術文献】
【特許文献】
【０００４】
【特許文献１】特開２０１１−７６８７５号公報
【発明の概要】
【発明が解決しようとする課題】
【０００５】
容易に点灯制御方式を切り替えることができる照明器具を提供する。
【課題を解決するための手段】
【０００６】
実施形態によれば、照明器具は、本体と、点灯機器と、光源と、を備えている。前記本体は、背板部と、投光開口と、前記背板部と前記投光開口との間に設けられた光源収容スペースと、を有する。前記点灯機器は、前記背板部に保持されている。前記光源は、前記光源収容スペース内で前記本体に対して着脱自在に取り付けられ、実装基板と、前記実装基板上に実装された発光素子と、を有する。前記点灯機器は、個別制御ユニットと、信号端子台と、電源ユニットと、配線手段と、を有する。前記個別制御ユニットは、自身が搭載された照明器具を他の照明器具と識別するための識別情報を有し、前記光源を他の照明器具の光源とは独立して点灯制御可能である。前記信号端子台には、前記光源を直接または前記個別制御ユニットを介して点灯制御するための制御信号が入力される。前記電源ユニットは、電源電力の入力を受ける電力入力端子と、前記光源に点灯電力を出力する電力出力端子と、前記信号端子台から直接信号の入力を受ける、あるいは前記個別制御ユニットから出力され、前記信号端子台から直接入力される信号と同種の信号の入力を受ける信号入力端子と、を有する。前記配線手段は、前記信号端子台と前記電源ユニットとの間、前記信号端子台と前記個別制御ユニットとの間、および前記個別制御ユニットと前記電源ユニットとの間を接続する複数のコネクタを有する。前記配線手段は、前記信号端子台が前記個別制御ユニットを介さずに前記電源ユニットと接続された第１の接続状態と、前記信号端子台が前記個別制御ユニットを介して前記電源ユニットと接続された第２の接続状態とが前記コネクタの抜き差しにより切り替え可能に構成されている。前記光源は、前記本体に取り付けられた状態で、前記投光開口から前記コネクタの接続部を覆い隠し、前記本体から前記光源が取り外されると、前記投光開口から前記コネクタの接続部が露見される。
【発明の効果】
【０００７】
点灯制御方式の変更に伴う手間及びコストを低減できる。
【図面の簡単な説明】
【０００８】
【図１】実施形態の照明器具の模式断面図。
【図２】実施形態の照明器具において光源及びルーバーユニットが本体から取り外された状態の模式断面図。
【図３】実施形態の照明器具におけるコネクタの接続部の模式図。
【図４】（ａ）は実施形態の照明器具における第２の接続状態を表すブロック図であり、（ｂ）は実施形態の照明器具における第１の接続状態を表すブロック図。
【図５】実施形態の照明器具におけるコネクタの他の接続例を表す模式図。
【発明を実施するための形態】
【０００９】
以下、図面を参照し、実施形態について説明する。なお、各図面中、同じ要素には同じ符号を付している。
【００１０】
図１は、実施形態の照明器具の模式断面図である。
【００１１】
実施形態の照明器具１は、本体１１と、点灯機器３１と、光源４１と、ルーバーユニット６１とを有する。実施形態の照明器具１は、例えば、図１において紙面を貫く方向に延びたライン型の照明器具である。
【００１２】
図２は、本体１１から、光源４１とルーバーユニット６１を取り外した状態の模式断面図である。
【００１３】
本体１１は、例えば金属材料からなり、その内側の表面には白色の高反射粉体塗装が施されている。本体１１は、図１において下方に存在する照明対象空間側に向けられる投光開口１２と、投光開口１２の上方で投光開口１２に対向して設けられた背板部１３とを有する。
【００１４】
背板部１３は、図１において紙面を貫く方向に延びる矩形板状に形成されている。背板部１３の幅方向（図１において横方向）の両端には、一対の側板部１４が下方に延びて設けられている。
【００１５】
側板部１４の上側の部分は水平面（または天井面）に対して傾斜し、側板部１４の下側の部分は鉛直方向に延びている。投光開口１２は、側板部１４における下端側に形成されている。
【００１６】
本体１１における背板部１３と投光開口１２との間には、光源収容スペース１５が形成されている。光源収容スペース１５は、背板部１３および一対の側板部１４で囲まれ、投光開口１２の上方に形成されている。
【００１７】
本体１１の側板部１４の外側には、スリットカバー１６が設けられている。スリットカバー１６は、本体１１に対して固定されている。
【００１８】
本体１１の背板部１３の上面には、取付金具１７が取り付けられている。取付金具１７は、スリットカバー１６の外側を下方に向けて延びる側板部１８を有し、その側板部１８には外側に突出した支持部１９が設けられている。
【００１９】
天井裏には、Ｔバーと呼ばれる枠部材７１が組み付けられている。図１に図示される一対の枠部材７１は紙面を貫く方向に延びている。取付金具１７の支持部１９が枠部材７１の上端部に支持され、スリットカバー１６の下端部が、枠部材７１の下端で水平方向に延びた部分７１ａの上に支持されることで、照明器具１は枠部材７１に対して保持されている。
【００２０】
本体１１の投光開口１２は、一対の枠部材７１の間から下方の空間に臨む。枠部材７１には、照明器具１や、空調機器などの他の機器が保持され、それら器具や機器が取り付けられない箇所には、天井板８１が取り付けられる。天井板８１は、枠部材７１の下端で水平方向に延びた部分７１ａの上に支持される。
【００２１】
本体１１の背板部１３には、点灯機器３１が保持されている。点灯機器３１において少なくとも後述するコネクタは、本体１１の背板部１３の下面（光源収容スペース１５側の面）に設けられている。点灯機器３１については、後で詳細に説明する。
【００２２】
点灯機器３１の下方の光源収容スペース１５内には、光源４１が設けられている。光源４１は、投光開口１２側から見て背板部１３の下面を覆い隠すように、本体１１に対して着脱自在に取り付けられている。
【００２３】
光源４１は、実装基板４２と、実装基板４２上に実装された複数の発光素子４３としてのＬＥＤ（Light Emitting Diode）素子とを有する。
【００２４】
ＬＥＤの活性層の材料として、例えば窒化ガリウム（ＧａＮ）系化合物半導体を用いると、波長５００ｎｍ以下の短波長光が得られる。ただし、活性層の材料は、窒化ガリウム系化合物半導体に限られるものではない。
【００２５】
また、発光素子４３としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいはその他の電界発光型の発光素子などを用いることができる。
【００２６】
また、発光素子４３は蛍光体層も含む。実施形態においては、例えば、青色光を発光するＬＥＤと、その青色光（励起光）を吸収して黄色光に変換する蛍光体を含む蛍光体層との組み合わせにより、発光素子４３は、青色光と黄色光との混合色として白色や電球色などの光を放出する。
【００２７】
実装基板４２は、図１において紙面を貫く方向に延びる矩形板状に形成され、その実装基板４２の長手方向に沿って複数の発光素子４３が例えば２列に配列されている。また、実装基板４２には、コネクタ４４も実装されている。発光素子４３とコネクタ４４とは、実装基板４２に形成された配線パターンを通じて電気的に接続されている。
【００２８】
光源４１の実装基板４２は、放熱板４５に対して例えばネジ４９によりネジ止め固定されている。実装基板４２の裏面（発光素子４３の実装面の反対側の面）が放熱板４５に接触している。放熱板４５は、例えば、金属材料からなり、その下面（実装基板４２の取付面）には白色の高反射粉体塗装が施されている。
【００２９】
また、放熱板４５には、反射板４７がネジ止めされている。反射板４７は、実装基板４２の幅方向（短手方向）の外側に位置し、実装基板４２の長手方向に延びている。反射板４７は、例えば、金属材料からなり、その内壁面には白色の高反射粉体塗装が施されている。
【００３０】
発光素子４３の下方には、光源カバー４６が設けられている。光源カバー４６は、発光素子４３から離れる方向の下方に膨出しつつ、実装基板４２の長手方向に延びている。
【００３１】
光源カバー４６は、例えば、可撓性を有する樹脂材料からなり、発光素子４３から放出される光に対する透過性を有する。また、光源カバー４６は、発光素子４３から放出される光に対する拡散性も有する。
【００３２】
反射板４７の側面には、カバー保持具４８が設けられている。実装基板４２、反射板４７及びカバー保持具４８は、共通のネジ４９により放熱板４５にネジ止め固定されている。反射板４７の下端部とカバー保持具４８の下端部との間には、実装基板４２の長手方向に延びる隙間が形成されている。その隙間に、光源カバー４６の幅方向の両端部が挿入され、光源カバー４６の両端部がカバー保持具４８の下端部上に保持される。
【００３３】
実装基板４２の実装面、およびその実装面に実装された発光素子４３は、反射板４７および光源カバー４６によって囲まれた空間内に存在し、外部から保護されている。
【００３４】
本体１１の側板部１４の内側であって、点灯機器３１の下方には、放熱板取付金具５１が設けられている。一対の放熱板取付金具５１が、側板部１４の長手方向（図１における紙面を貫く方向）の両端近傍位置で、例えばネジ５２により側板部１４にネジ止めされている。
【００３５】
放熱板４５は、放熱板取付金具５１に対して、ネジ５３によりネジ止めされる。放熱板４５が放熱板取付金具５１に取り付けられた状態で、放熱板４５及び放熱板４５に固定された光源４１は、光源４１の下方の空間に対して背板部１３の下面を覆い隠す。
【００３６】
ネジ５３を外せば、放熱板４５及び放熱板４５に固定された光源４１は、図２に示すように、本体１１から取り外すことができる。したがって、光源４１は、本体１１に対して着脱自在に取り付けられている。
【００３７】
本体１１の背板部１３と、光源４１とは、ワイヤ５０で接続されている。したがって、ネジ５３を外して、光源４１を放熱板取付金具５１から取り外した状態で、光源４１を支えていなくても光源４１の落下を防ぐことができる。
【００３８】
本体１１の内側において、投光開口１２と光源カバー４６との間には、ルーバーユニット６１が設けられている。ルーバーユニット６１は、照明器具１の長手方向（図１における紙面を貫く方向）に延びる一対のルーバー枠６２と、複数のルーバー６３とを有する。
【００３９】
ルーバー６３は、例えば、金属材料からなり、その表面には白色の高反射粉体塗装が施されている。複数のルーバー６３は、一対のルーバー枠６２の間でルーバー枠６３に保持され、照明器具１の長手方向に沿って互いに離間して配列されている。
【００４０】
ルーバー枠６２に設けられた突起６４、６５が、本体１１の側板部１４に形成された取付穴に係合することで、ルーバーユニット６１は、本体１１に対して着脱自在に保持される。
【００４１】
光源４１の下方に設けられた複数のルーバー６３は、照明器具１の下方空間にいる使用者が照明器具を斜め方向から見上げた際のまぶしさ感を軽減する。
【００４２】
次に、点灯機器３１について説明する。
【００４３】
図３、図４（ａ）及び（ｂ）は、点灯機器３１の構成を示す模式図である。
【００４４】
実施形態の点灯機器３１は、図４（ｂ）に示す第１の接続状態と、図４（ａ）に示す第２の接続状態と、をとることができる。
【００４５】
点灯機器３１は、電源ユニット３６と、個別制御ユニット３４と、信号端子台３３と、電源端子台（図４（ａ）及び（ｂ）に示す）３２とを有する。また、点灯機器３１は、信号端子台３３と電源ユニット３６との間、信号端子台３３と個別制御ユニット３４との間、および個別制御ユニット３４と電源ユニット３６との間を接続する複数のコネクタと、複数本のケーブルとを含む配線手段を有する。
【００４６】
電源ユニット３６と個別制御ユニット３４は、例えば、本体１１の背板部１３の下面に設けられている。電源端子台３２と信号端子台３３は、例えば、本体１１の背板部１３の上面に設けられ、図１に示す端子台カバー８７で覆われている。点灯機器３１において、少なくとも後述するコネクタが背板部１３の下面側に設けられていればよい。
【００４７】
図３に示すように、信号端子台３３の出力端子には、ケーブル７２を介して出力コネクタ７３が接続されている。信号端子台３３の出力コネクタ７３は、例えばオスコネクタである。
【００４８】
個別制御ユニット３４の入力端子８４には、ケーブル７７を介して入力コネクタ７８が接続されている。個別制御ユニット３４の入力コネクタ７８は、例えばメスコネクタであり、オスコネクタである信号端子台３３の出力コネクタ７３が挿入接続可能となっている。
【００４９】
個別制御ユニット３４の出力端子８５には、ケーブル７９を介して出力コネクタ８０が接続されている。個別制御ユニット３４の出力コネクタ８０は、例えばオスコネクタである。
【００５０】
電源ユニット３６の信号入力端子８６には、ケーブル８２を介して信号入力コネクタ８３が接続されている。電源ユニット３６の信号入力コネクタ８３は、例えばメスコネクタである。
【００５１】
また、信号端子台３３の出力コネクタ７３と、電源ユニット３６の信号入力コネクタ８３との間には、延長ケーブル７４が設けられている。延長ケーブル７４において、信号端子台３３の出力コネクタ７３側の一方の端部にはメスコネクタであるコネクタ７５が接続され、電源ユニット３６の信号入力コネクタ８３側の他方の端部にはオスコネクタであるコネクタ７６が接続されている。
【００５２】
前述した各ケーブルおよび各コネクタは、本体１１の背板部１３における下面側に引き回されている。ケーブル７２、７７、７４の途中の部分は、ケーブル押さえ９１に保持され、背板部１３から下方にケーブル７２、７７、７４が垂れ下がるのが防止されている。なお、ケーブル７９、８２についても、必要に応じて、その途中の部分をケーブル押さえ９１で支えてもよい。
【００５３】
また、ケーブルの途中をケーブル押さえ９１で保持することで、ケーブルが引っ張られてコネクタ接続が外れてしまうことを防ぐことができる。
【００５４】
電源ユニット３６の電力入力端子８９には、図４（ａ）及び（ｂ）に示す商用電源などの外部電源１００の引き込み配線（電源線及びアース線）が、電源端子台３２を介して接続されている。電源ユニット３６の電力出力端子は、図示しないケーブル及びコネクタを介して、光源４１の実装基板４２に実装されたコネクタ４４に接続されている。
【００５５】
したがって、電源ユニット３６は、外部電源１００と発光素子４３に電気的に接続され、電力入力端子８９に入力される、外部電源１００としての例えば商用電源の電源電力（交流）を直流に変換した点灯電力を発光素子４３に出力し、発光素子４３を点灯させる。
【００５６】
信号端子台３３には、光源４１を直接または個別制御ユニット３４を介して点灯制御するための制御信号が照明器具１の外部から入力される。
【００５７】
ここで、外部の制御信号は、検知エリア内の人の在／不在をモニターする人感センサーからの信号、検知エリア内の明るさをモニターする明るさセンサーからの信号、オン／オフ、シーン等の手動操作が行われる壁スイッチからの信号、コンピュータなどの外部コントロール端末からの信号などである。
【００５８】
図４（ｂ）に示す第１の接続状態においては、外部制御信号として、例えばＰＷＭ調光信号が信号端子台３３に入力され、そのＰＷＭ調光信号は、個別制御ユニット３４を介さずに電源ユニット３６の信号入力端子８６に入力する。
【００５９】
図４（ａ）に示す第２の接続状態においては、外部制御信号として、個別制御ユニット３４及びその個別制御ユニット３４が搭載された照明器具１を個別に指定するアドレスデータと、個別制御ユニット３４の制御指令データとを含む信号が信号端子台３３に入力される。
【００６０】
信号端子台３３を介して入力されたアドレスデータにより指定された個別制御ユニット３４は、同じく信号端子台３３を介して入力された制御指令データに基づいて、ＰＷＭ調光信号を、電源ユニット３６の信号入力端子８６に出力する。
図４（ｂ）に示す第１の接続状態において信号端子台３３から直接、信号入力端子８６に入力される信号と、図４（ａ）に示す第２の接続状態において個別制御ユニット３４から信号入力端子８６に入力される信号とは、同種の信号（例えばＰＷＭ信号）である。
【００６１】
第１の接続状態および第２の接続状態のいずれにしても、ＰＷＭ調光信号が、信号入力端子およびフォトカプラ３５を介して電源ユニット３６に入力する。フォトカプラ３５においては、入力側と出力側とは電気的に絶縁されている。
【００６２】
そして、電源ユニット３６は、信号入力端子８６に入力されるＰＷＭ調光信号に基づいて、発光素子４３に供給する電力の大きさや、電力の供給時間（点灯時間）を制御し、発光素子４３の点灯状態を制御する。
【００６３】
個別制御ユニット３４を介さない第１の接続状態（図４（ｂ））では、複数の照明器具がどのようなグルーピングで外部コントローラに配線されているかによって、複数の照明器具群の点灯制御のパターンが決まる。すなわち、調光区分が配線の引き回し（グルーピング）に依存する。この第１の接続状態を選択した場合には、個別制御ユニット３４を外部から制御するためのコントローラやコンピュータ端末が不要であり、低コストにシステムを構築できる。
【００６４】
一方、個別制御ユニット３４は、自身が搭載された照明器具を他の照明器具と識別するための識別情報（アドレス）を有し、そのアドレスを外部から指定することで個々の照明器具を指定でき、指定された照明器具の光源４１を他の照明器具の光源４１とは独立して個々に点灯制御可能である。
【００６５】
すなわち、照明器具１台単位で調光などの点灯制御を自由に設定でき、エリア内の照明制御をきめ細かく設定することができ、テナントや組織の配置変更に応じたレイアウトフリー化が実現できる。
【００６６】
そして、実施形態によれば、図４（ｂ）に示す第１の接続状態と、図４（ａ）に示す第２の接続状態とが、コネクタの抜き差しにより容易に切り替え可能である。
【００６７】
具体的には、第１の接続状態を選択するときには、信号端子台３３の図３に示す出力コネクタ（オスコネクタ）７３を、延長ケーブル７４のコネクタ（メスコネクタ）７５に差し込んで接続し、延長ケーブル７４のコネクタ（オスコネクタ）７６を、電源ユニット３６の信号入力コネクタ（メスコネクタ）８３に差し込んで接続する。
【００６８】
これにより、信号端子台３３は、ケーブル７２、コネクタ７３、７５、ケーブル７４、コネクタ７６、８３およびケーブル８２を介して、電源ユニット３６と接続され、信号端子台３３と電源ユニット３６との間には個別制御ユニット３４は介在されない。
【００６９】
第２の接続状態を選択するときには、信号端子台３３の出力コネクタ（オスコネクタ）７３を、個別制御ユニット３４の入力コネクタ（メスコネクタ）７８に差し込んで接続し、個別制御ユニット３４の出力コネクタ（オスコネクタ）８０を、電源ユニット３６の信号入力コネクタ（メスコネクタ）８３に差し込んで接続する。
【００７０】
これにより、信号端子台３３は、ケーブル７２、コネクタ７３、７８、ケーブル７７、個別制御ユニット３４、ケーブル７９、コネクタ８０、８３およびケーブル８２を介して、電源ユニット３６と接続される。
【００７１】
なお、前述したそれぞれのコネクタのオスまたはメスは逆であってもよい。
【００７２】
図３に示すように、信号端子台３３の出力コネクタ７３の近くに、延長ケーブル７４のコネクタ７５と、個別制御ユニット３４の入力コネクタ７８が配置されている。そして、例えば、延長ケーブル７４の被覆チューブは白色であり、個別制御ユニット３４の入力側のケーブル７７の被覆チューブは灰色である。コネクタ７３、７５、７８の配置位置の近くには、第１の接続状態は白色線、第２の接続状態は灰色線である明示がされている。
【００７３】
したがって、作業者は、第１の接続状態を選択するときには、信号端子台３３側のコネクタ７３を白色のケーブル７４のコネクタ７５と接続し、第２の接続状態を選択するときには、信号端子台３３側のコネクタ７３を灰色のケーブル７７のコネクタ７８と接続すればよいということが、容易に判別でき、誤配線を防ぐことができる。
【００７４】
同様に、延長ケーブル７４のコネクタ７６の近くに、個別制御ユニット３４の出力側のコネクタ８０と、電源ユニット３６の信号入力側のコネクタ８３が配置されている。そして、例えば、延長ケーブル７４の被覆チューブは白色であり、個別制御ユニット３４の出力側のケーブル７９の被覆チューブは灰色である。コネクタ７６、８０、８３の配置位置の近くには、第１の接続状態は白色線、第２の接続状態は灰色線である明示がされている。
【００７５】
したがって、作業者は、第１の接続状態を選択するときには、白色の延長ケーブル７４のコネクタ７６を電源ユニット３６のコネクタ８３と接続し、第２の接続状態を選択するときには、個別制御ユニット３４の出力側の灰色のケーブル７９のコネクタ８０を電源ユニット３６のコネクタ８３と接続すればよいということが、容易に判別でき、誤配線を防ぐことができる。
【００７６】
図１に示すように、光源４１が本体に１１に取り付けられた状態では、図３に示すコネクタの接続部は、下方（投光開口１２側）から見て、光源４１によって覆い隠されている。そして、ルーバーユニット６１を本体１１から取り外し、さらにネジ５３を外して光源４１を本体１１から取り外すと、図２に示すように、コネクタの接続部は下方に対して露見される。
【００７７】
放熱板取付金具５１は、照明器具１の長手方向（図２における紙面を貫く方向）の両端部付近に取り付けられているため、それら一対の放熱板取付金具５１の間から、コネクタの接続部は下方に露見される。
【００７８】
照明器具１が天井に取り付けられたままの状態で、作業者は、投光開口１２および一対の放熱板取付金具５１の間から手を入れて、コネクタの抜き差しを行い、第１の接続状態と第２の接続状態とを切り替えることができる。
【００７９】
特にテナントビルでは、テナントの意向や移動で調光区分が変更されることが多く、従来システムでは電気配線の変更に大きな労力をとられたり、竣工前の短期間に設計と工事が集中したりする問題があった。
【００８０】
これに対して、実施形態によれば、テナント入退居などにより、個別制御ユニット３４の使用の有無によって制御方式が変更となった場合、照明器具の交換及び改造などすることなく、コネクタの抜き差しにより容易に点灯制御方式を切り替えることができる。
【００８１】
また、実施形態によれば、図３に示すように、信号端子台３３からの信号が伝送される延長ケーブル７４のコネクタ７６と、個別制御ユニット３４の出力コネクタ８０とは、両方共がオスコネクタである。あるいは、それらコネクタ７６及び８０の両方共がメスコネクタであってもよい。したがって、コネクタ７６とコネクタ８０とは物理的に接続不可能である。
【００８２】
したがって、ケーブル７４とケーブル７９とを誤って接続してしまうことがない。第１の接続状態においては、信号端子台３３の出力ケーブル７２は延長ケーブル７４と接続され、延長ケーブル７４にはＰＷＭ信号が伝送される。その状態で、誤って延長ケーブル７４のコネクタ７６を個別制御ユニット３４の出力側に接続してしまい、例えば信号端子台３３側から入力されたＰＷＭ信号の反転信号が個別制御ユニット３４の出力端子に入力してしまうと、個別制御ユニット３４の構造によっては個別制御ユニット３４が壊れてしまう場合がある。
【００８３】
しかしながら、実施形態によれば、コネクタ７６とコネクタ８０とは接続不可能であり、したがって、ケーブル７４を個別制御ユニット３４の出力側に誤って接続してしまうことがなく、信号端子台３３からの出力信号が個別制御ユニット３４の出力側に入力してしまうことによる個別制御ユニット３４の故障を回避できる。
【００８４】
図５は、照明器具１におけるコネクタの他の接続例を表す模式図である。
【００８５】
この接続例においては、３端子コネクタ（３口コネクタ）８８を介して、延長ケーブル７４と、個別制御ユニット３４の出力ケーブル７９と、電源ユニット３６の信号入力ケーブル８２とを接続している。
【００８６】
したがって、第１の接続状態と第２の接続状態とを切り替えるには、信号端子台３３の出力コネクタ７３を、延長ケーブル７４のコネクタ７５に接続するか、あるいは個別制御ユニット３４のコネクタ７８に接続するかの、１箇所の抜き差し操作だけで済む。
【００８７】
また、個別制御ユニット３４の出力ケーブル７９を電源ユニット３６の信号入力端子に常時接続しておいて、延長ケーブル７４のコネクタ７６を電源ユニット３６の信号入力側のコネクタ８３に接続するか、外すかによって、第１の接続状態と第２の接続状態とを切り替えることもできる。
【００８８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８９】
１…照明器具、１１…本体、１２…投光開口、１３…背板部、１５…光源収容スペース、３１…点灯機器、３２…電源端子台、３３…信号端子台、３４…個別制御ユニット、３６…電源ユニット、４１…光源、４２…実装基板、４３…発光素子、４５…放熱板、７３，７５，７６，７８，８０，８３…コネクタ
【図１】
2014086166.tif 000003
【図２】
2014086166.tif 000004
【図３】
2014086166.tif 000005
【図４】
2014086166.tif 000006
【図５】
2014086166.tif 000007